(57)【要約】【課題】複数のセンサのそれぞれにおける検知結果を容易に認識させる技術を提供する。【解決手段】入力部５４０は、複数のセンサのそれぞれにおける検知結果を受けつける。表示制御部５４２は、入力部５４０において受けつけた複数の検知結果を表示部５１８の第１領域に表示させる。表示制御部５４２は、入力部５４０において受けつけた複数の検知結果のうち、１つ以上の前記検知結果が不完全な戸締まり状態を示す場合に、不完全な戸締まり状態の存在を知らせるための通知を表示部５１８の第２領域であって、かつ第１領域とは異なった第２領域に表示させる、【選択図】図１
2020201314.tif 000002
【特許請求の範囲】
【請求項１】
施設に設けられた複数の開閉部材のそれぞれに、戸締まり状態を検知可能なセンサが設置されており、複数の前記センサのそれぞれにおける検知結果を受けつける入力部と、
前記入力部において受けつけた複数の前記検知結果を表示部の第１領域に表示させる表示制御部とを備え、
前記表示制御部は、前記入力部において受けつけた複数の前記検知結果のうち、１つ以上の前記検知結果が不完全な戸締まり状態を示す場合に、不完全な戸締まり状態の存在を知らせるための通知を前記表示部の第２領域であって、かつ前記第１領域とは異なった第２領域に表示させる、
表示装置。
【請求項２】
複数の前記センサは、検知内容が互いに異なる複数の第１種センサと複数の第２種センサとを含み、
前記入力部は、複数の前記第１種センサのそれぞれにおける第１検知結果を受けつけるとともに、複数の前記第２種センサのそれぞれにおける第２検知結果を受けつけ、
前記表示制御部は、前記入力部において受けつけた複数の前記第１検知結果を前記表示部の前記第１領域の第１部分に表示させるとともに、前記入力部において受けつけた複数の前記第２検知結果を前記表示部の前記第１領域の第２部分に表示させ、
前記表示制御部は、前記入力部において受けつけた複数の前記第１検知結果のうち、１つ以上の前記第１検知結果が不完全な戸締まり状態を示す場合に、前記通知を前記表示部の前記第２領域の第１部分に表示させ、
前記表示制御部は、前記入力部において受けつけた複数の前記第２検知結果のうち、１つ以上の前記第２検知結果が不完全な戸締まり状態を示す場合に、前記通知を前記表示部の前記第２領域の第２部分に表示させる、
請求項１に記載の表示装置。
【請求項３】
前記第１種センサは、前記開閉部材の施錠状態あるいは解錠状態を検知可能な施解錠センサであり、
前記第２種センサは、前記開閉部材の開状態あるいは閉状態を検知可能な開閉センサであり、
前記表示制御部は、１つ以上の前記第１検知結果が解錠状態を示す場合に、解錠状態を知らせるための通知を前記表示部の前記第２領域の第１部分に表示させ、
前記表示制御部は、１つ以上の前記第２検知結果が開状態を示す場合に、開状態を知らせるための通知を前記表示部の前記第２領域の第２部分に表示させる、
請求項２に記載の表示装置。
【請求項４】
前記第１種センサは、前記開閉部材である扉の電気錠の施錠状態あるいは解錠状態を検知可能な電気錠センサであり、
前記第２種センサは、前記開閉部材である窓のクレセント錠の施錠状態あるいは解錠状態を検知可能な窓鍵センサであり、
前記表示制御部は、１つ以上の前記第１検知結果が解錠状態を示す場合に、解錠状態を知らせるための通知を前記表示部の前記第２領域の第１部分に表示させ、
前記表示制御部は、１つ以上の前記第２検知結果が解錠状態を示す場合に、解錠状態を知らせるための通知を前記表示部の前記第２領域の第２部分に表示させる、
請求項２に記載の表示装置。
【請求項５】
前記入力部は、複数の前記第１種センサのそれぞれにおける第１電池残量を受けつけるとともに、複数の前記第２種センサのそれぞれにおける第２電池残量を受けつけ、
前記表示制御部は、前記入力部において受けつけた複数の前記第１電池残量のうち、１つ以上の前記第１電池残量がしきい値よりも少ない場合に、前記１つ以上の前記第１電池残量のそれぞれに対して、前記第１電池残量がしきい値よりも少ないことを知らせるための通知を前記第１領域の第１部分に表示させるとともに、しきい値よりも少ない前記第１電池残量の存在を知らせるための通知を前記表示部の前記第２領域の第１部分に表示させ、
前記表示制御部は、前記入力部において受けつけた複数の前記第２電池残量のうち、１つ以上の前記第２電池残量がしきい値よりも少ない場合に、前記１つ以上の前記第２電池残量のそれぞれに対して、前記第２電池残量がしきい値よりも少ないことを知らせるための通知を前記第１領域の第２部分に表示させるとともに、しきい値よりも少ない前記第２電池残量の存在を知らせるための通知を前記表示部の前記第２領域の第２部分に表示させる、
請求項２または３に記載の表示装置。
【請求項６】
前記入力部は、複数の前記第１種センサのそれぞれにおける第１通信状態を受けつけるとともに、複数の前記第２種センサのそれぞれにおける第２通信状態を受けつけ、
前記表示制御部は、前記入力部において受けつけた複数の前記第１通信状態のうち、１つ以上の前記第１通信状態が通信不可能を示す場合に、前記１つ以上の前記第１通信状態のそれぞれに対して、前記第１通信状態が通信不可能を示すことを知らせるための通知を前記第１領域の第１部分に表示させるとともに、通信不可能を示す前記第１通信状態の存在を知らせるための通知を前記表示部の前記第２領域の第１部分に表示させ、
前記表示制御部は、前記入力部において受けつけた複数の前記第２通信状態のうち、１つ以上の前記第２通信状態が通信不可能を示す場合に、前記１つ以上の前記第２通信状態のそれぞれに対して、前記第２通信状態が通信不可能を示すことを知らせるための通知を前記第１領域の第２部分に表示させるとともに、通信不可能を示す前記第２通信状態の存在を知らせるための通知を前記表示部の前記第２領域の第２部分に表示させる、
請求項２から５のいずれか１項に記載の表示装置。
【請求項７】
前記表示制御部は、前記第１領域と、前記第２領域とを同一の画面に表示させる、
請求項１から６のいずれか１項に記載の表示装置。
【請求項８】
前記表示制御部は、前記第１領域と、前記第２領域とを別の画面に表示させる、
請求項１から６のいずれか１項に記載の表示装置。
【請求項９】
施設に設けられた複数の開閉部材のそれぞれに、戸締まり状態を検知可能なセンサが設置されており、複数の前記センサのそれぞれにおける検知結果を受けつけるステップと、
受けつけた複数の前記検知結果を表示部の第１領域に表示させるステップと、
受けつけた複数の前記検知結果のうち、１つ以上の前記検知結果が不完全な戸締まり状態を示す場合に、不完全な戸締まり状態の存在を知らせるための通知を前記表示部の第２領域であって、かつ前記第１領域とは異なった第２領域に表示させるステップと、
をコンピュータに実行させるためのプログラム。
【発明の詳細な説明】
【技術分野】
【０００１】
本開示は、表示技術に関し、特に検知結果を表示する表示装置およびプログラムに関する。
【背景技術】
【０００２】
防犯センサがネットワークを介して制御装置に接続され、防犯センサの検知結果が制御装置に送信される。制御装置は、防犯センサが異常を示す場合に、異常を示す通知を表示してユーザに知らせる（例えば、特許文献１参照）。
【先行技術文献】
【特許文献】
【０００３】
【特許文献１】特開２００４−１３５１９７号公報
【発明の概要】
【発明が解決しようとする課題】
【０００４】
住宅等の施設における防犯に対する検知性能を向上させるためには、施設に設けられた窓、扉等の複数の開閉部材のそれぞれにセンサが設置される方が好ましい。複数のセンサのそれぞれにおける検知結果を表示すると、それらの中に、不完全な戸締まり状態が含まれていても、不完全な戸締まり状態を認識しにくくなる可能性がある。
【０００５】
本開示はこうした状況に鑑みなされたものであり、その目的は、複数のセンサのそれぞれにおける検知結果を容易に認識させる技術を提供することにある。
【課題を解決するための手段】
【０００６】
上記課題を解決するために、本開示のある態様の表示装置は、施設に設けられた複数の開閉部材のそれぞれに、戸締まり状態を検知可能なセンサが設置されており、複数のセンサのそれぞれにおける検知結果を受けつける入力部と、入力部において受けつけた複数の検知結果を表示部の第１領域に表示させる表示制御部とを備える。表示制御部は、入力部において受けつけた複数の検知結果のうち、１つ以上の検知結果が不完全な戸締まり状態を示す場合に、不完全な戸締まり状態の存在を知らせるための通知を表示部の第２領域であって、かつ第１領域とは異なった第２領域に表示させる。
【０００７】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００８】
本開示によれば、複数のセンサのそれぞれにおける検知結果を容易に認識できる。
【図面の簡単な説明】
【０００９】
【図１】本実施例に係る制御システムの構成を示す図である。
【図２】図１の記憶部に記憶される状態テーブルのデータ構造を示す図である。
【図３】図３（ａ）−（ｂ）は、図１の表示部に表示される画面を示す図である。
【図４】図１の表示部に表示される画面を示す図である。
【図５】図１の制御システムによる表示手順を示すフローチャートである。
【図６】図１の制御システムによる別の表示手順を示すフローチャートである。
【図７】図１の制御システムによるさらに別の表示手順を示すフローチャートである。
【発明を実施するための形態】
【００１０】
本開示の実施例を具体的に説明する前に、本実施例の概要を説明する。実施例は、住宅等の施設に設置された複数のセンサのそれぞれにおける検知結果を表示する制御システムに関する。複数のセンサは、施設の複数の開口部のそれぞれに設けられた扉、窓等の開閉部材に設置されており、例えば、開閉センサ、窓鍵センサ、電気錠である。これらは、戸締まり状態を検知可能なセンサであるといえる。複数のセンサは、施設に設置された制御装置に接続され、検知結果を制御装置に送信する。また、制御装置は、ネットワークを介して施設外のサーバに接続され、検知結果をサーバに送信する。サーバには、スマートフォン等の情報端末装置からアクセス可能である。
【００１１】
情報端末装置あるいは制御装置は、表示装置であり、複数の検知結果のそれぞれを表示可能である。複数の検知結果の中に、不完全な戸締まり状態が含まれている場合、不完全な戸締まり状態を示す検知結果が表示される。不完全な戸締まり状態とは、窓が開状態であったり、窓鍵あるいは電気錠が解錠状態であったりすることである。検知結果の表示数が増加するほど、ユーザにとっては、不完全な戸締まり状態を認識しにくくなる。
【００１２】
複数のセンサのそれぞれにおける検知結果を容易に認識するために、本実施例に係る表示装置は、センサの種類毎、例えば、開閉センサ、窓鍵センサ、電気錠毎に検知結果をまとめて表示する。また、１種類のセンサにおける検知結果の中に、不完全な戸締まり状態が含まれている場合に、表示装置は、不完全な戸締まり状態の存在を知らせるための通知を検知結果とは別に表示する。具体的には、複数の電気錠のそれぞれにおける検知結果が第１領域の第１部分に表示されるとともに、それらの中に解錠状態が含まれている場合に通知が第２領域の第１部分に表示される。また、複数の窓鍵センサのそれぞれにおける検知結果が第１領域の第２部分に表示されるとともに、それらの中に解錠状態が含まれている場合に通知が第２領域の第２部分に表示される。さらに、複数の開閉センサのそれぞれにおける検知結果が第１領域の第３部分に表示されるとともに、それらの中に開状態が含まれている場合に通知が第２領域の第３部分に表示される。
【００１３】
図１は、制御システム１０００の構成を示す。制御システム１０００は、開閉センサ２００と総称される第１開閉センサ２００ａ、第２開閉センサ２００ｂ、窓鍵センサ２２０と総称される第１窓鍵センサ２２０ａ、第２窓鍵センサ２２０ｂ、電気錠制御システム２４０と総称される第１電気錠制御システム２４０ａ、第２電気錠制御システム２４０ｂ、電気錠２６０と総称される第１電気錠２６０ａ、第２電気錠２６０ｂ、制御装置３００、ルータ４００、ネットワーク４２０、サーバ４４０、携帯端末装置５００を含む。ここで、開閉センサ２００、窓鍵センサ２２０、電気錠制御システム２４０、電気錠２６０の数はそれぞれ「２」とされているが、それに限定されない。また、制御システム１０００には、開閉センサ２００、窓鍵センサ２２０、電気錠制御システム２４０、電気錠２６０がすべて含まれていなくてもよい。例えば、開閉センサ２００だけ、あるいは窓鍵センサ２２０だけ、あるいは電気錠制御システム２４０と電気錠２６０だけが含まれていてもよい。また、開閉センサ２００と窓鍵センサ２２０、あるいは開閉センサ２００と電気錠制御システム２４０と電気錠２６０、あるいは窓鍵センサ２２０と電気錠制御システム２４０と電気錠２６０が含まれていてもよい。
【００１４】
また、開閉センサ２００は、検知部２０２、制御部２０４、通信部２０６を含み、窓鍵センサ２２０は、検知部２２２、制御部２２４、通信部２２６を含み、電気錠制御システム２４０は、制御部２４２、操作部２４４、記憶部２４６、通信部２４８を含む。制御装置３００は、第１通信部３１０、第２通信部３１２、記憶部３１４、操作部３１６、表示部３１８、処理部３３０を含み、処理部３３０は、入力部３４０、表示制御部３４２を含む。携帯端末装置５００は、通信部５１０、記憶部５１４、操作部５１６、表示部５１８、処理部５３０を含み、処理部５３０は、入力部５４０、表示制御部５４２を含む。
【００１５】
開閉センサ２００、窓鍵センサ２２０、電気錠制御システム２４０、電気錠２６０、制御装置３００、ルータ４００は、施設１００に設置され、ネットワーク４２０、サーバ４４０は、施設１００の外部に設置される。施設１００は、制御システム１０００による制御の対象となる建物であり、例えば戸建て住宅である。施設１００は戸建て住宅に限定されず、集合住宅の住戸でもよいし、オフィスビル、商業施設などでもよい。施設１００の複数の開口部のそれぞれには、扉、窓等の開閉部材が設けられる。各開閉部材には、当該開閉部材の戸締まり状態を検知可能なセンサとして、開閉センサ２００、窓鍵センサ２２０、電気錠制御システム２４０のいずれかが設置される。開閉センサ２００、窓鍵センサ２２０、電気錠制御システム２４０は、制御装置３００との間で無線通信を実行する。無線通信として、例えば、特定小電力無線が使用されるが、これに限定されず、さらに有線通信が実行されてもよい。
【００１６】
開閉センサ２００は、施設１００の開口部に設けられた開閉部材の開閉状態（開状態あるいは閉状態）を検知可能なセンサである。開閉センサ２００は、例えば、開閉部材に取り付けられた磁石と、開口部の周囲に設けられた磁気センサとを有する。開閉センサ２００の検知部２０２は、磁気センサによって検出される磁気の大きさに基づいて開閉部材が開状態であるか閉状態であるかを検知する。制御部２０４は、検知部２０２において検知された開閉部材の開閉状態（開状態あるいは閉状態）が変化すると、開閉部材の開閉状態を示す検知結果を通信部２０６から制御装置３００に送信させる。
【００１７】
また、検知部２０２は、開閉センサ２００を駆動させる電池の残量を検知する。電池残量の検知には公知の技術が使用されればよいので、ここでは説明を省略する。電池残量は、例えば、８０％、５０％のように示される。制御部２０４は、検知部２０２において検知された電池残量が変化すると、電池残量を通信部２０６から制御装置３００に送信させる。ここで、電池残量の送信は、電池残量が変化する度ではなく、５％のような所定の量だけ変化した場合になされてもよい。
【００１８】
窓鍵センサ２２０は、施設１００の開口部に設けられた開閉部材の施解錠状態（施錠状態あるいは解錠状態）を検知可能な施解錠センサである。開閉部材が窓である場合、窓鍵センサ２２０は、クレセント錠センサとも呼ばれ、例えば、クレセント錠のハンドルに取り付けられた磁石と、クレセント錠のハンドルが施錠位置にある場合に磁石に対向する磁気センサとを有する。窓鍵センサ２２０の検知部２２２は、磁気センサによって検出される磁気の大きさに基づいて開閉部材が施錠状態であるか解錠状態であるかを検知する。制御部２２４は、検知部２２２において検知された開閉部材の施解錠状態（施錠状態あるいは解錠状態）が変化すると、開閉部材の施解錠状態を示す検知結果を通信部２２６から制御装置３００に送信させる。また、検知部２２２は、検知部２０２と同様に、窓鍵センサ２２０を駆動させる電池の残量を検知する。制御部２２４は、検知部２２２において検知された電池の残量が変化すると、電池の残量が示された電池残量を通信部２２６から制御装置３００に送信させる。
【００１９】
電気錠制御システム２４０は、施設１００の開口部に設けられた開閉部材を施錠または解錠する電気錠２６０を制御する。開閉部材は例えば扉である。電気錠制御システム２４０の操作部２４４は、例えば、施設１００の外側に露出するように設けられた屋外側押釦スイッチと、施設１００の内側に露出するように設けられた屋内側押釦スイッチとを含む。屋外側押釦スイッチは、施設１００の外側（屋外）からの操作入力を受付可能であり、屋内側押釦スイッチは、施設１００の内側（屋内）からの操作入力を受付可能である。操作部２４４は、例えば玄関扉のような開閉部材に備わっているドアハンドル（取っ手）に設けられてもよいし、ユーザがドアハンドルに触れる操作を検知するタッチセンサ等であってもよい。操作部２４４は、ユーザによる操作入力を受け付けると、操作入力に応じた操作信号を制御部２４２に出力する。
【００２０】
記憶部２４６は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のような電気的に書き換え可能な不揮発性メモリを備える。記憶部２４６には、電気錠制御システム２４０のコンピュータシステムが実行するプログラムが記憶される。
【００２１】
制御部２４２は、例えば、プロセッサおよびメモリを有するマイクロコンピュータで構成される。プロセッサが、記憶部２４６に記録されたプログラムを実行することにより、コンピュータシステムによって制御部２４２の各種の機能が実現される。制御部２４２は、操作部２４４から受けつけた操作信号をもとに、電気錠２６０を施錠したり、解錠したりする。制御部２４２は、電気錠２６０の施錠あるいは解錠を設定するが、設定した電気錠２６０の施解錠状態（施錠状態あるいは解錠状態）を検知可能であるので、電気錠センサであるともいえる。制御部２４２は、電気錠２６０の安全性を向上させるための処理、例えば、制御装置３００から受信した操作信号による電気錠２６０の施錠あるいは解錠の処理をさらに実行してもよいが、ここではそのような処理の説明を省略する。制御部２４２は、検知した電気錠２６０の施解錠状態（施錠状態あるいは解錠状態）が変化すると、電気錠２６０の施解錠状態を示す検知結果を通信部２４８から制御装置３００に送信させる。
【００２２】
つまり、開閉センサ２００、窓鍵センサ２２０、電気錠制御システム２４０は、検知内容が互いに異なるセンサである。以下では、開閉センサ２００、窓鍵センサ２２０、電気錠制御システム２４０を「センサ」と総称することもある。電気錠制御システム２４０が「第１種センサ」と呼ばれる場合、窓鍵センサ２２０が「第２種センサ」と呼ばれ、開閉センサ２００が「第３種センサ」と呼ばれる。また、電気錠制御システム２４０が「第１種センサ」と呼ばれる場合、開閉センサ２００が「第２種センサ」と呼ばれ、窓鍵センサ２２０が「第２種センサ」と呼ばれてもよい。さらに、電気錠制御システム２４０が「第２種センサ」あるいは「第３種センサ」と呼ばれてもよい。
【００２３】
制御装置３００の第１通信部３１０は、前述のごとく、例えば特定小電力無線に対応し、開閉センサ２００、窓鍵センサ２２０、電気錠制御システム２４０のそれぞれから検知結果を受信する。検知結果には、送信元になるセンサを識別するための識別情報（以下、「センサ識別情報」という）が含まれる。第１通信部３１０は、検知結果を処理部３３０に出力する。第１通信部３１０は、開閉センサ２００、窓鍵センサ２２０のそれぞれから電池残量を受信する。電池残量にもセンサ識別情報が含まれる。第１通信部３１０は、電池残量を処理部３３０に出力する。
【００２４】
処理部３３０は、受けつけた検知結果あるいは電池残量を記憶部３１４に記憶する。記憶部３１４は、検知結果および電池残量をセンサ識別情報毎に記憶する。これは、検知結果および電池残量をセンサ毎に記憶することに相当する。図２は、記憶部３１４に記憶される状態テーブルのデータ構造を示す。第１開閉センサ２００ａと第２開閉センサ２００ｂに対して、検知結果として「閉状態」あるいは「開状態」が示されるとともに、電池残量の値が示される。第１窓鍵センサ２２０ａと第２窓鍵センサ２２０ｂに対して、検知結果として「施錠状態」あるいは「解錠状態」が示されるとともに、電池残量の値が示される。第１電気錠制御システム２４０ａと第２電気錠制御システム２４０ｂに対して、検知結果として「施錠状態」あるいは「解錠状態」が示される。ここで、「開状態」あるいは「解錠状態」が、不完全な戸締まり状態であるといえる。図１に戻る。
【００２５】
処理部３３０は、開閉センサ２００、窓鍵センサ２２０、電気錠制御システム２４０のそれぞれに対して、接続を確認するための確認信号を第１通信部３１０から定期的に送信させる。開閉センサ２００、窓鍵センサ２２０、電気錠制御システム２４０のそれぞれは、確認信号を受信すると、確認信号に対する応答を示すための応答信号を制御装置３００に送信する。応答信号にもセンサ識別情報が含まれる。制御装置３００の第１通信部３１０は、応答信号を受信すると、応答信号を処理部３３０に出力する。このような処理によって、処理部３３０は、確認信号に対する応答信号を受信したセンサとの通信が可能であると判定する。一方、処理部３３０は、確認信号に対する応答信号を一定期間受信しないセンサとの通信が不可能であると判定する。処理部３３０は、通信可能であるか通信不可能であるかを示す通信状態をセンサ識別情報毎に記憶する。図２に示される状態テーブルにおいて、各センサに対する通信状態として「通信可能」あるいは「通信不可能」が示される。
【００２６】
以下では、各センサにおける情報を表示する画面を、（１）携帯端末装置５００に表示される画面、（２）携帯端末装置５００に表示される画面の変形例、（３）制御装置３００に表示される画面の順に説明する。本実施例では、これらの画面のうち、少なくとも１つの画面が表示されればよい。
【００２７】
（１）携帯端末装置５００に表示される画面
第２通信部３１２は、例えば、無線通信あるいは有線通信を実行し、ルータ４００、ネットワーク４２０を介してサーバ４４０に接続される。無線通信として、例えば、無線ＬＡＮ（Ｌｏｃａｌ  Ａｒｅａ  Ｎｅｔｗｏｒｋ）が使用されるが、これに限定されない。第２通信部３１２は、記憶部３１４に記憶した検知結果、電池残量、通信状態のいずれかが変化したタイミングにおいて、変化した情報をサーバ４４０に送信する。第２通信部３１２から送信される情報には、センサ識別情報に加えて、施設１００を識別するための施設識別情報も含まれる。サーバ４４０は、情報を受信すると、検知結果、電池残量、通信状態のいずれかを、施設識別情報毎およびセンサ識別情報毎に記憶する。このような処理によって、サーバ４４０の状態テーブルは記憶部３１４の状態テーブルに所定の期間遅延してから同期する。
【００２８】
携帯端末装置５００は、例えば、スマートフォン、タブレット端末装置、携帯電話装置であり、施設１００に居住するユーザによって使用される。携帯端末装置５００の通信部５１０は、無線通信を実行することによって、ネットワーク４２０を介してサーバ４４０に接続される。無線通信として、例えば、ＬＴＥ（Ｌｏｎｇ  Ｔｅｒｍ  Ｅｖｏｌｕｔｉｏｎ）等の携帯電話システムあるいは無線ＬＡＮが使用されるが、これに限定されない。記憶部５１４には、携帯端末装置５００において実行可能なプログラム、例えば、アプリケーションプログラムが記憶される。本実施例では、制御システム１０００における処理を実行可能なアプリケーションプログラム（以下、「制御システムアプリケーション」という）に着目する。
【００２９】
操作部５１６は、例えば、タッチパネルであり、ユーザによる操作入力を受付可能である。操作部５１６は、ユーザによる操作入力を受け付けると、操作入力に応じた操作信号を処理部５３０に出力する。表示部５１８は、表示制御部３４２において生成された画面を表示する。表示部５１８は、操作部５１６と一体的に構成されてもよく、ボタンが含まれた画面を表示部５１８が表示し、ユーザがボタンに触れることによる操作入力を操作部５１６が受けつける。
【００３０】
処理部５３０は、例えば、プロセッサおよびメモリを有するマイクロコンピュータで構成される。プロセッサが、記憶部５１４に記録されたプログラムを実行することにより、コンピュータシステムによって処理部５３０の各種の機能が実現される。本実施例における処理部５３０は、制御システムアプリケーションを実行する。処理部５３０は、通信部５１０、ネットワーク４２０を介してサーバ４４０に対して接続を要求するための信号（以下、「接続要求信号」という）を送信する。接続要求信号には、携帯端末装置５００を識別するための識別情報（以下、「端末識別情報」という）が含まれる。
【００３１】
サーバ４４０は、接続要求信号を受信すると、接続要求信号に含まれた端末識別情報をもとに認証処理を実行する。サーバ４４０は、認証処理が成功した場合、携帯端末装置５００との接続を許可し、ネットワーク４２０を介して携帯端末装置５００に許可信号を送信する。一方、サーバ４４０は、認証処理が失敗した場合、携帯端末装置５００との接続を拒否し、ネットワーク４２０を介して携帯端末装置５００に拒否信号を送信する。接続を許可した場合、サーバ４４０は、状態テーブルをネットワーク４２０を介して携帯端末装置５００に送信する。状態テーブルを送信した後、サーバ４４０は、状態テーブルに含まれる情報が更新されると、ネットワーク４２０を介して携帯端末装置５００に、更新された情報を逐次送信する。
【００３２】
携帯端末装置５００の通信部５１０は、ネットワーク４２０を介してサーバ４４０からの許可信号あるいは拒否信号を受信する。また、許可信号を受信した場合、通信部５１０は、サーバ４４０からの状態テーブルを受信するとともに、状態テーブルの後に更新された情報を逐次受信する。処理部５３０は、通信部５１０が拒否信号を受信した場合に処理を終了し、通信部５１０が許可信号を受信した場合に処理を続行する。処理を続行する場合、処理部５３０は、通信部５１０が受信した状態テーブルを記憶部５１４に記憶させる。それに続いて、処理部５３０は、通信部５１０が逐次受信した情報によって、記憶部５１４の状態テーブルを更新する。
【００３３】
処理部５３０の入力部５４０は、開閉センサ２００、窓鍵センサ２２０、電気錠制御システム２４０のそれぞれにおける検知結果を記憶部５１４から受けつける。また、入力部５４０は、開閉センサ２００、窓鍵センサ２２０のそれぞれにおける電池残量を記憶部５１４から受けつける。さらに、入力部５４０は、開閉センサ２００、窓鍵センサ２２０、電気錠制御システム２４０のそれぞれにおける通信状態を受けつける。入力部５４０における情報の受付は、記憶部５１４に記憶された情報が更新されるタイミングで逐次なされる。
【００３４】
表示制御部５４２は、入力部５４０において受けつけた情報を表示部５１８に表示するための画面を生成する。ここでは、表示制御部５４２において生成される画面を説明するために、図３（ａ）−（ｂ）を使用する。図３（ａ）−（ｂ）は、表示部５１８に表示される画面を示す。表示制御部５４２は、図３（ａ）のごとく、第２領域第１部分６１０、第１領域第１部分６００、第２領域第２部分６１２、第１領域第２部分６０２、第２領域第３部分６１４、第１領域第３部分６０４を同一の画面に含めるように、画面を生成する。
【００３５】
第１領域第１部分６００と第２領域第１部分６１０は「第１部分６２０」と総称され、第１領域第２部分６０２と第２領域第２部分６１２は「第２部分６２２」と総称され、第１領域第３部分６０４よ第２領域第３部分６１４は「第３部分６２４」と総称される。第１部分６２０は、電気錠制御システム２４０に関する情報（以下、「第１グループ」という）を示すための部分であり、第２部分６２２は、窓鍵センサ２２０に関する情報（以下、「第２グループ」という）を示すための部分である。また、第３部分６２４は、開閉センサ２００に関する情報（以下、「第３グループ」という）を示すための部分である。つまり、センサの種類毎に情報がグループ化され、グループ毎に異なった画面の部分に情報が示される。
【００３６】
第１領域第１部分６００と第１領域第２部分６０２と第１領域第３部分６０４は「第１領域６２６」と総称され、また、第２領域第１部分６１０と第２領域第２部分６１２と第２領域第３部分６１４は「第２領域６２８」と総称される。第１領域６２６は、各センサにおける情報、つまりセンサの個別情報を示すための領域であり、第２領域６２８は、センサの種類毎に各センサにおける情報をまとめた情報、つまりセンサの代表情報を示すための領域である。
【００３７】
以下では、図３（ａ）について、（ｉ）第２グループに対する表示、（ｉｉ）第１グループに対する表示、（ｉｉｉ）第３グループに対する表示の順番に説明する。
（ｉ）第２グループに対する表示
表示制御部５４２は、第１領域第２部分６０２に第１窓鍵センサ表示欄７１０と第２窓鍵センサ表示欄７１２とを設ける。第１窓鍵センサ表示欄７１０には、第１窓鍵センサ２２０ａである「リビング・窓鍵センサ」の検知結果６４０が示され、第２窓鍵センサ表示欄７１２には、第２窓鍵センサ２２０ｂである「ダイニング・窓鍵センサ」の検知結果６４０が示される。特に、表示制御部５４２は、施錠状態である検知結果６４０として「施錠中」を表示させ、解錠状態である検知結果６４０として「解錠中」を表示させる。ここでは、第２窓鍵センサ２２０ｂが施錠状態であるので、第２窓鍵センサ表示欄７１２に「施錠中」が検知結果６４０として示される。
【００３８】
表示制御部５４２は、通信状態が通信不可能であるかを確認する。通信不可能な窓鍵センサ２２０に対して、表示制御部５４２は、検知結果６４０の代わりに第１通信不可能通知６７０を第１領域第２部分６０２に表示させる。ここでは、第１窓鍵センサ２２０ａが通信不可能であるので、第１窓鍵センサ表示欄７１０に第１通信不可能通知６７０が示される。
【００３９】
表示制御部５４２は、電池残量と比較すべきしきい値、例えば、第１しきい値、第２しきい値（第１しきい値＞第２しきい値）を保持する。一例として、第１しきい値が「２０％」であり、第２しきい値が「１０％」である。表示制御部５４２は、電池残量が第１しきい値より少なく、かつ第２しきい値以上である場合、電池消耗と判定し、電池残量が第２しきい値より少ない場合、電池切れと判定する。表示制御部５４２は、電池消耗と判定された窓鍵センサ２２０に対して第１電池消耗通知６５０を第１領域第２部分６０２に表示させ、電池切れと判定した窓鍵センサ２２０に対して第１電池切れ通知６６０を第１領域第２部分６０２に表示させる。第１電池消耗通知６５０は電池消耗を知らせるための通知であり、第１電池切れ通知６６０は電池切れを知らせるための通知である。ここでは、第２窓鍵センサ２２０ｂの電池残量が第２しきい値より少ないので、第２窓鍵センサ表示欄７１２に第１電池切れ通知６６０が示される。
【００４０】
第１電池消耗通知６５０と第１電池切れ通知６６０は「第１電池残量通知」と総称され、第１電池残量通知は、電池残量がしきい値よりも少ないことを知らせるための通知であるといえる。ここで、第１窓鍵センサ２２０ａは通信不可能であるので、表示制御部５４２は、第１窓鍵センサ２２０ａに対して電池残量に関する処理を実行しない。
【００４１】
表示制御部５４２は、第１領域第２部分６０２に示した検知結果６４０のうち、１つ以上の検知結果６４０が解錠状態を示す場合、解錠状態の存在を知らせるための不完全通知６３０を第２領域第２部分６１２に表示させる。一方、表示制御部５４２は、第１領域第２部分６０２に示した検知結果６４０のすべてが解錠状態を示さない場合、不完全通知６３０を第２領域第２部分６１２に表示させない。また、表示制御部５４２は、第１領域第２部分６０２に１つ以上の第１通信不可能通知６７０を示す場合、１つ以上の第１通信不可能通知６７０の存在を知らせるための通知として不完全通知６３０を第２領域第２部分６１２に表示させる。一方、表示制御部５４２は、第１領域第２部分６０２に１つ以上の第１通信不可能通知６７０を示さない場合、通信状態に対する通知を第２領域第２部分６１２に表示させない。ここでは、第１領域第２部分６０２に第１通信不可能通知６７０が示されるので、第２領域第２部分６１２に不完全通知６３０が示される。
【００４２】
表示制御部５４２は、第１領域第２部分６０２に１つ以上の第１電池残量通知を示す場合、１つ以上の第１電池残量通知の存在を知らせるための第２電池残量通知を第２領域第２部分６１２に表示させる。第１領域第２部分６０２に第１電池消耗通知６５０だけが示される場合、第２領域第２部分６１２には第２電池消耗通知６５２が示され、第１領域第２部分６０２に第１電池切れ通知６６０だけが示される場合、第２領域第２部分６１２には第２電池切れ通知６６２が示される。つまり、第１領域第２部分６０２に示される第１電池残量通知と、第２領域第２部分６１２に示される第２電池残量通知は同一である。仮に、第１領域第２部分６０２に第１電池消耗通知６５０と第１電池切れ通知６６０が示される場合、第２領域第２部分６１２には第２電池切れ通知６６２が示される。一方、表示制御部５４２は、第１領域第２部分６０２に１つ以上の第１電池残量通知を示さない場合、第２電池残量通知を第２領域第２部分６１２に表示させない。ここでは、第１領域第２部分６０２に第１電池切れ通知６６０が示されるので、第２領域第２部分６１２に第２電池切れ通知６６２が示される。第２領域第２部分６１２に表示可能な不完全通知６３０、第２電池残量通知は、窓鍵センサ２２０の代表情報である。
【００４３】
（ｉｉ）第１グループに対する表示
表示制御部５４２は、第１領域第１部分６００に第１電気錠制御システム表示欄７２０と第２電気錠制御システム表示欄７２２とを設ける。第１電気錠制御システム表示欄７２０には、第１電気錠制御システム２４０ａである「玄関・電気錠」の検知結果６４０が示され、第２電気錠制御システム表示欄７２２には、第２電気錠制御システム２４０ｂである「勝手口・電気錠」の検知結果６４０が示される。検知結果６４０については、これまでと同一であるので、ここでは説明を省略する。
【００４４】
表示制御部５４２は、通信状態が通信不可能であるかを確認する。ここでは、第１電気錠制御システム２４０ａおよび第２電気錠制御システム２４０ｂがいずれも通信可能であるので、表示制御部５４２は、第１通信不可能通知６７０を第１領域第１部分６００に表示させない。一方、表示制御部５４２は、通信不可能である電気錠制御システム２４０が存在する場合、これまでと同様に、電気錠制御システム２４０の検知結果６４０の代わりに第１通信不可能通知６７０を第１領域第１部分６００に表示させる。
【００４５】
表示制御部５４２は、第１領域第１部分６００に示した検知結果６４０のうち、１つ以上の検知結果６４０が解錠状態を示す場合に、不完全通知６３０を第２領域第１部分６１０に表示させる。一方、表示制御部５４２は、第１領域第１部分６００に示した検知結果６４０のすべてが解錠状態を示さない場合、不完全通知６３０を第２領域第１部分６１０に表示させない。また、表示制御部５４２が第１領域第１部分６００に１つ以上の第１通信不可能通知６７０を示す場合の処理について、ここでは説明を省略する。第２領域第１部分６１０に表示可能な不完全通知６３０は、電気錠制御システム２４０の代表情報である。
【００４６】
（ｉｉｉ）第３グループに対する表示
表示制御部５４２は、第１領域第３部分６０４に第１開閉センサ表示欄７００を第２開閉センサ表示欄７０２とを設ける。第１開閉センサ表示欄７００には、第１開閉センサ２００ａである「キッチン・開閉センサ」の検知結果６４０が示され、第２開閉センサ表示欄７０２には、第２開閉センサ２００ｂである「寝室・開閉センサ」の検知結果６４０が示される。特に、表示制御部５４２は、閉状態である検知結果６４０として「閉」を表示させ、開状態である検知結果６４０として「開」を表示させる。ここでは、第１開閉センサ２００ａと第２開閉センサ２００ｂが閉状態であるので、第１開閉センサ表示欄７００と第２開閉センサ表示欄７０２に「閉」が検知結果６４０として示される。
【００４７】
表示制御部５４２は、通信状態が通信不可能であるかを確認する。ここでは、第１開閉センサ２００ａおよび第２開閉センサ２００ｂがいずれも通信可能であるので、表示制御部５４２は、第１通信不可能通知６７０を第１領域第３部分６０４に表示させない。一方、表示制御部５４２は、通信不可能である開閉センサ２００が存在する場合、これまでと同様に、当該窓鍵センサ２２０の検知結果６４０の代わりに第１通信不可能通知６７０を第１領域第３部分６０４に表示させる。
【００４８】
表示制御部５４２は、電池残量が第１しきい値より少なく、かつ第２しきい値以上である場合、電池消耗と判定し、電池残量が第２しきい値より少ない場合、電池切れと判定する。表示制御部５４２は、電池消耗と判定された開閉センサ２００に対して第１電池消耗通知６５０を第１領域第３部分６０４に表示させ、電池切れと判定した開閉センサ２００に対して第１電池切れ通知６６０を第１領域第３部分６０４に表示させる。ここでは、第１開閉センサ２００ａの電池残量が第１しきい値より少なく、かつ第２しきい値以上であるので、第１開閉センサ表示欄７００に第１電池消耗通知６５０が示される。
【００４９】
表示制御部５４２は、第１領域第３部分６０４に示した検知結果６４０のうち、１つ以上の検知結果６４０が開状態を示す場合、開状態の存在を知らせるための不完全通知６３０を第２領域第３部分６１４に表示させる。一方、表示制御部５４２は、第１領域第３部分６０４に示した検知結果６４０のすべてが開状態を示さない場合、不完全通知６３０を第２領域第３部分６１４に表示させない。また、表示制御部５４２は、第１領域第３部分６０４に１つ以上の第１通信不可能通知６７０を示す場合、不完全通知６３０を第２領域第３部分６１４に表示させる。一方、表示制御部５４２は、第１領域第３部分６０４に１つ以上の第１通信不可能通知６７０を示さない場合、通信状態に対する通知を第２領域第３部分６１４に表示させない。
【００５０】
表示制御部５４２は、第１領域第３部分６０４に１つ以上の第１電池残量通知を示す場合、第２電池残量通知を第２領域第３部分６１４に表示させる。第２領域第３部分６１４に示す第２電池残量通知については、これまでと同一であるので、ここでは説明を省略する。第２領域第３部分６１４に表示可能な不完全通知６３０、第２電池残量通知は、開閉センサ２００の代表情報である。図１に戻る。表示制御部５４２は、生成した画面を表示部５１８に表示させる。
【００５１】
（２）携帯端末装置５００に表示される画面の変形例
図３（ｂ）は、表示制御部５４２において生成される画面の別の一例を示す。表示制御部５４２は、第２領域第１部分６１０、第１領域第１部分６００、第２領域第２部分６１２、第１領域第２部分６０２を同一の画面に含めるように、画面を生成する。ここで、第１部分６２０には第１グループが示され、第２部分６２２には、第２グループと第３グループが示される。つまり、変形例においては、第２グループと第３グループが第２部分６２２にまとめられる。表示制御部５４２は、第１領域第１部分６００に第１電気錠制御システム表示欄７２０と第２電気錠制御システム表示欄７２２とを設ける。また、表示制御部５４２は、第１領域第２部分６０２に第１窓鍵センサ表示欄７１０、第２窓鍵センサ表示欄７１２、第１開閉センサ表示欄７００、第２開閉センサ表示欄７０２を設ける。
【００５２】
さらに、表示制御部５４２は第２領域第１部分６１０、第２領域第２部分６１２において、不完全通知６３０として解錠状態あるいは開状態等のセンサの台数、第２通信不可能通知６７２を示す。第２通信不可能通知６７２は、通信不可能なセンサの台数を示す。これらは、電気錠制御システム２４０の代表情報、窓鍵センサ２２０および開閉センサ２００の代表情報である。これ以外については、図３（ａ）と同様であるので、ここでは説明を省略する。図１に戻る。表示制御部５４２は、生成した画面を表示部５１８に表示させる。
【００５３】
（３）制御装置３００に表示される画面
これまでは、各種センサの情報を示す画面を携帯端末装置５００の表示部５１８に表示させる場合を説明した。このような画面は、制御装置３００の表示部３１８に表示されてもよい。表示部５１８に表示される画面として、横方向よりも縦方向に長い画面を想定していたが、ここでは、表示部３１８に表示される画面として、縦方向よりも横方向に長い画面を想定する。また、処理部３３０の処理速度は、処理部５３０の処理速度よりも遅い場合を想定する。これにより、表示部３１８における画面の縦方向のスクロール速度は、表示部５１８における画面の縦方向のスクロール速度よりも遅い。
【００５４】
入力部３４０は、入力部５４０と同様の処理を実行する。表示制御部３４２は、入力部３４０において受けつけた情報を表示部３１８に表示するための画面を生成する。ここでは、表示制御部３４２において生成される画面を説明するために、図４を使用する。図４は、表示部３１８に表示される画面を示す。表示制御部３４２は、第２領域第１部分６１０、第１領域第１部分６００、第２領域第２部分６１２、第１領域第２部分６０２を同一の画面に含めるように、画面を生成する。具体的には、表示制御部３４２は、第１部分６２０と第２部分６２２とを横方向に並べ、第１部分６２０において第２領域第１部分６１０、第１領域第１部分６００を縦方向に並べ、第２部分６２２において第２領域第２部分６１２、第１領域第２部分６０２を縦方向に並べる。第１部分６２０には第１グループが示され、第２部分６２２には第２グループと第３グループが示される。表示制御部３４２は、第１領域第１部分６００に第１電気錠制御システム表示欄７２０と第２電気錠制御システム表示欄７２２とを設ける。また、表示制御部３４２は、第１領域第２部分６０２に第１窓鍵センサ表示欄７１０、第２窓鍵センサ表示欄７１２、第１開閉センサ表示欄７００、第２開閉センサ表示欄７０２を設ける。
【００５５】
表示制御部３４２における処理のうち、表示制御部５４２と同様の処理については、説明を省略する。表示制御部３４２は、複数のセンサにおける情報を第１領域第１部分６００に配置する際に、上から順に、第１通信不可能通知６７０、「解錠」、「開」となるように複数のセンサにおける情報をソートする。第１領域第２部分６０２についても同様である。また、第２領域第１部分６１０、第２領域第２部分６１２において、不完全通知６３０として解錠状態あるいは開状態等のセンサの台数、第２通信不可能通知６７２として通信不可能なセンサの台数が示される。これらは、電気錠制御システム２４０の代表情報、窓鍵センサ２２０および開閉センサ２００の代表情報である。
【００５６】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００５７】
以上の構成による制御システム１０００の動作を説明する。ここでは、説明を明瞭にするために、複数種類のセンサのうち、開閉センサ２００を説明の対象にする。図５は、制御システム１０００による表示手順を示すフローチャートである。これは、検知結果に対する処理を示す。入力部３４０あるいは入力部５４０は、各開閉センサ２００からの検知結果を受けつける（Ｓ１０）。表示制御部３４２あるいは表示制御部５４２は、各検知結果を第１領域６２６に表示する（Ｓ１２）。検知結果の中に開状態がある場合（Ｓ１４のＹ）、表示制御部３４２あるいは表示制御部５４２は、不完全通知６３０を第２領域６２８に表示する（Ｓ１６）。検知結果の中に開状態がない場合（Ｓ１４のＮ）、ステップ１６はスキップされる。
【００５８】
図６は、制御システム１０００による別の表示手順を示すフローチャートである。これは、電池残量に対する処理を示す。入力部３４０あるいは入力部５４０は、各開閉センサ２００からの電池残量を受けつける（Ｓ５０）。しきい値より少ない電池残量がある場合（Ｓ５２のＹ）、表示制御部３４２あるいは表示制御部５４２は、該当する開閉センサ２００のそれぞれに対して第１電池残量通知を第１領域６２６に表示する（Ｓ５４）。また、表示制御部３４２あるいは表示制御部５４２は、１つの第２電池残量通知を第２領域６２８に表示する（Ｓ５６）。しきい値より少ない電池残量がない場合（Ｓ５２のＮ）、ステップ５４とステップ５６はスキップされる。
【００５９】
図７は、制御システム１０００によるさらに別の表示手順を示すフローチャートである。これは、通信状態に対する処理を示す。入力部３４０あるいは入力部５４０は、各開閉センサ２００からの通信状態を受けつける（Ｓ１００）。通信不可能の通信状態がある場合（Ｓ１０２のＹ）、表示制御部３４２あるいは表示制御部５４２は、該当する開閉センサ２００のそれぞれに対して第１通信不可能通知６７０を第１領域６２６に表示する（Ｓ１０４）。また、表示制御部３４２あるいは表示制御部５４２は、１つの不完全通知６３０あるいは第２通信不可能通知６７２を第２領域６２８に表示する（Ｓ１０６）。通信不可能の通信状態がない場合（Ｓ１０２のＮ）、ステップ１０４とステップ１０６はスキップされる。
【００６０】
本実施例によれば、複数の検知結果を第１領域に表示させ、複数の検知結果のうち、１つ以上の検知結果が不完全な戸締まり状態を示す場合に、不完全な戸締まり状態の存在を知らせるための不完全通知６３０を第２領域に表示させるので、複数のセンサのそれぞれにおける検知結果を容易に認識させることができる。また、センサの種類毎に情報を表示させる部分を分けるので、センサの種類毎の検知結果を容易に認識させることができる。また、１つの種類のセンサにおける情報として施錠状態あるいは解錠状態を表示し、別の種類のセンサにおける情報として開状態あるいは閉状態を表示するので、窓鍵センサ２２０あるいは電気錠制御システム２４０における情報と、開閉センサ２００における情報とを表示できる。また、１つの種類のセンサにおける情報として、扉の電気錠の施錠状態あるいは解錠状態を表示し、別の種類のセンサにおける情報として、窓のクレセント錠の施錠状態あるいは解錠状態を表示するので、電気錠制御システム２４０における情報と、窓鍵センサ２２０における情報とを表示できる。
【００６１】
また、しきい値よりも少ない１つ以上の電池残量のそれぞれに対して、第１電池残量通知を第１領域に表示させ、１つの第２電池残量通知を第２領域に表示させるので、電池残量がしきい値より少ないことを容易に認識させることができる。また、通信不可能を示す１つ以上の通信状態のそれぞれに対して、第１通信不可能通知６７０を第１領域に表示させ、１つの不完全通知６３０あるいは第２通信不可能通知６７２を第２領域に表示させるので、通信不可能であることを容易に認識させることができる。また、第１領域６２６と第２領域６２８とを同一の画面に表示させるので、情報の一覧性を向上できる。また、表示部３１８において、上から順に、第１通信不可能通知６７０、「解錠」、「開」となるように複数のセンサにおける情報をソートするので、上下方向のスクロール回数を低減できる。また、上下方向のスクロール回数が低減されるので、処理部３３０の処理速度が遅くても、情報を閲覧しやすくできる。
【００６２】
本開示の一態様の概要は、次の通りである。本開示のある態様の表示装置（３００、５００）は、施設（１００）に設けられた複数の開閉部材のそれぞれに、戸締まり状態を検知可能なセンサが設置されており、複数のセンサのそれぞれにおける検知結果を受けつける入力部（３４０、５４０）と、入力部（３４０、５４０）において受けつけた複数の検知結果を表示部（３１８、５１８）の第１領域に表示させる表示制御部（３４２、５４２）とを備える。表示制御部（３４２、５４２）は、入力部（３４０、５４０）において受けつけた複数の検知結果のうち、１つ以上の検知結果が不完全な戸締まり状態を示す場合に、不完全な戸締まり状態の存在を知らせるための通知を表示部（３１８、５１８）の第２領域であって、かつ第１領域とは異なった第２領域に表示させる。
【００６３】
複数のセンサは、検知内容が互いに異なる複数の第１種センサと複数の第２種センサとを含んでもよい。入力部（３４０、５４０）は、複数の第１種センサのそれぞれにおける第１検知結果を受けつけるとともに、複数の第２種センサのそれぞれにおける第２検知結果を受けつけ、表示制御部（３４２、５４２）は、入力部（３４０、５４０）において受けつけた複数の第１検知結果を表示部（３１８、５１８）の第１領域の第１部分に表示させるとともに、入力部（３４０、５４０）において受けつけた複数の第２検知結果を表示部（３１８、５１８）の第１領域の第２部分に表示させ、表示制御部（３４２、５４２）は、入力部（３４０、５４０）において受けつけた複数の第１検知結果のうち、１つ以上の第１検知結果が不完全な戸締まり状態を示す場合に、通知を表示部（３１８、５１８）の第２領域の第１部分に表示させ、表示制御部（３４２、５４２）は、入力部（３４０、５４０）において受けつけた複数の第２検知結果のうち、１つ以上の第２検知結果が不完全な戸締まり状態を示す場合に、通知を表示部（３１８、５１８）の第２領域の第２部分に表示させる。
【００６４】
第１種センサは、開閉部材の施錠状態あるいは解錠状態を検知可能な施解錠センサであり、第２種センサは、開閉部材の開状態あるいは閉状態を検知可能な開閉センサであり、表示制御部（３４２、５４２）は、１つ以上の第１検知結果が解錠状態を示す場合に、解錠状態を知らせるための通知を表示部（３１８、５１８）の第２領域の第１部分に表示させ、表示制御部（３４２、５４２）は、１つ以上の第２検知結果が開状態を示す場合に、開状態を知らせるための通知を表示部（３１８、５１８）の第２領域の第２部分に表示させる。
【００６５】
第１種センサは、開閉部材である扉の電気錠の施錠状態あるいは解錠状態を検知可能な電気錠センサであり、第２種センサは、開閉部材である窓のクレセント錠の施錠状態あるいは解錠状態を検知可能な窓鍵センサであり、表示制御部（３４２、５４２）は、１つ以上の第１検知結果が解錠状態を示す場合に、解錠状態を知らせるための通知を表示部（３１８、５１８）の第２領域の第１部分に表示させ、表示制御部（３４２、５４２）は、１つ以上の第２検知結果が解錠状態を示す場合に、解錠状態を知らせるための通知を表示部（３１８、５１８）の第２領域の第２部分に表示させる。
【００６６】
入力部（３４０、５４０）は、複数の第１種センサのそれぞれにおける第１電池残量を受けつけるとともに、複数の第２種センサのそれぞれにおける第２電池残量を受けつけ、表示制御部（３４２、５４２）は、入力部（３４０、５４０）において受けつけた複数の第１電池残量のうち、１つ以上の第１電池残量がしきい値よりも少ない場合に、１つ以上の第１電池残量のそれぞれに対して、第１電池残量がしきい値よりも少ないことを知らせるための通知を第１領域の第１部分に表示させるとともに、しきい値よりも少ない第１電池残量の存在を知らせるための通知を表示部（３１８、５１８）の第２領域の第１部分に表示させ、表示制御部（３４２、５４２）は、入力部（３４０、５４０）において受けつけた複数の第２電池残量のうち、１つ以上の第２電池残量がしきい値よりも少ない場合に、１つ以上の第２電池残量のそれぞれに対して、第２電池残量がしきい値よりも少ないことを知らせるための通知を第１領域の第２部分に表示させるとともに、しきい値よりも少ない第２電池残量の存在を知らせるための通知を表示部（３１８、５１８）の第２領域の第２部分に表示させる。
【００６７】
入力部（３４０、５４０）は、複数の第１種センサのそれぞれにおける第１通信状態を受けつけるとともに、複数の第２種センサのそれぞれにおける第２通信状態を受けつけ、表示制御部（３４２、５４２）は、入力部（３４０、５４０）において受けつけた複数の第１通信状態のうち、１つ以上の第１通信状態が通信不可能を示す場合に、１つ以上の第１通信状態のそれぞれに対して、第１通信状態が通信不可能を示すことを知らせるための通知を第１領域の第１部分に表示させるとともに、通信不可能を示す第１通信状態の存在を知らせるための通知を表示部（３１８、５１８）の第２領域の第１部分に表示させ、表示制御部（３４２、５４２）は、入力部（３４０、５４０）において受けつけた複数の第２通信状態のうち、１つ以上の第２通信状態が通信不可能を示す場合に、１つ以上の第２通信状態のそれぞれに対して、第２通信状態が通信不可能を示すことを知らせるための通知を第１領域の第２部分に表示させるとともに、通信不可能を示す第２通信状態の存在を知らせるための通知を表示部（３１８、５１８）の第２領域の第２部分に表示させる。
【００６８】
表示制御部（３４２、５４２）は、第１領域と、第２領域とを同一の画面に表示させる。
【００６９】
表示制御部（３４２、５４２）は、第１領域と、第２領域とを別の画面に表示させる。
【００７０】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００７１】
本実施例において、表示制御部３４２あるいは表示制御部５４２は、第１領域６２６と第２領域６２８を同一の画面に表示させている。しかしながらこれに限らず例えば、表示制御部３４２あるいは表示制御部５４２は、第１領域６２６と第２領域６２８を別の画面に表示させてもよい。この場合、第１領域６２６が含まれる画面と、第２領域６２８が含まれる画面との間で遷移がなされる。本変形例によれば、構成の自由度を向上できる。
【符号の説明】
【００７２】
１００  施設、  ２００  開閉センサ、  ２０２  検知部、  ２０４  制御部、  ２０６  通信部、  ２２０  窓鍵センサ、  ２２２  検知部、  ２２４  制御部、  ２２６  通信部、  ２４０  電気錠制御システム、  ２４２  制御部、  ２４４  操作部、  ２４６  記憶部、  ２４８  通信部、  ２６０  電気錠、  ３００  制御装置（表示装置）、  ３１０  第１通信部、  ３１２  第２通信部、  ３１４  記憶部、  ３１６  操作部、  ３１８  表示部、  ３３０  処理部、  ３４０  入力部、  ３４２  表示制御部、  ４００  ルータ、  ４２０  ネットワーク、  ４４０  サーバ、  ５００  携帯端末装置（表示装置）、  ５１０  通信部、  ５１４  記憶部、  ５１６  操作部、  ５１８  表示部、  ５３０  処理部、  ５４０  入力部、  ５４２  表示制御部、  １０００  制御システム。
【図１】
2020201314.tif 000003
【図２】
2020201314.tif 000004
【図３】
2020201314.tif 000005
【図４】
2020201314.tif 000006
【図５】
2020201314.tif 000007
【図６】
2020201314.tif 000008
【図７】
2020201314.tif 000009